(57)【要約】【課題】外観が良好で、且つインジケータの視覚的変化が外部から認識され易い吸収性物品を提供すること。【解決手段】透湿性シート３０における、インジケータ１０と重なる領域３０Ａに、インジケータ１０の変色後の色と同色又は類似色のデザイン要素３５が、１ｃｍ四方の正方形形状の領域中に複数存するように印刷されている。複数のデザイン要素３５のうち、任意の１個を特定デザイン要素３５ａ、それから最も近い位置に存する１個を最近接デザイン要素３５ｂとし、且つ両デザイン要素３５ａ，３５ｂそれぞれの中心を通る仮想直線Ｌを１本引いた場合、仮想直線Ｌにおける特定デザイン要素３５ａとの重なり部分の長さＬ１、及び仮想直線Ｌにおける最近接デザイン要素３５ｂとの重なり部分の長さＬ２は、それぞれ、仮想直線Ｌにおける、両デザイン要素３５ａ，３５ｂに挟まれた無印刷部３６との重なり部分の長さＬ３と同じか、又は該長さＬ３よりも長い。【選択図】図１
2014083170.tif 000002
【特許請求の範囲】
【請求項１】
吸収体と該吸収体の非肌対向面側に配された裏面シートとを備え、着用者の前後方向に相当する縦方向とこれに直交する横方向とを有し、着用時に着用者の腹側に配される腹側部、股間部に配される股下部及び背側に配される背側部を該縦方向に有する吸収性物品であって、
前記裏面シートは、透湿性シートと不織布との積層構造を有し、前記股下部における該裏面シートと前記吸収体との間に、水分又は体液との接触により変色するインジケータが配されており、該インジケータの変色前後の色は、それぞれ、該透湿性シート及び該不織布の地色とは異なっており、
前記透湿性シートにおける、前記吸収性物品の厚み方向に関して前記インジケータと重なるインジケータ対応領域に、該インジケータの変色後の色と同色又は類似色のデザイン要素が、１ｃｍ四方の正方形形状の領域中に複数存するように印刷されており、複数の該デザイン要素は、それぞれ、印刷が施されていない無印刷部に包囲されており、
前記インジケータ対応領域における複数の前記デザイン要素のうち、任意の１個を特定デザイン要素、該特定デザイン要素から最も近い位置に存する１個を最近接デザイン要素とし、且つ該特定デザイン要素及び該最近接デザイン要素それぞれの中心を通る仮想直線を１本引いた場合、該仮想直線における該特定デザイン要素との重なり部分の長さＬ１、及び該仮想直線における該最近接デザイン要素との重なり部分の長さＬ２は、それぞれ、該仮想直線における、該特定デザイン要素と該最近接デザイン要素とに挟まれた前記無印刷部との重なり部分の長さＬ３と同じか、又は該長さＬ３よりも長い吸収性物品。
【請求項２】
前記デザイン要素は、散点状に規則的なパターンで印刷されている請求項１記載の吸収性物品。
【請求項３】
複数の前記デザイン要素とこれらを包囲する前記無印刷部とからなる印刷デザインが、前記透湿性シートの全域に亘って施されている請求項１又は２記載の吸収性物品。
【請求項４】
前記透湿性シートは、前記腹側部、前記股下部及び前記背側部に亘って配されており、該腹側部及び該背側部は、該股下部に比して、前記デザイン要素の単位面積当たりの数が多い請求項１〜３の何れか一項に記載の吸収性物品。
【請求項５】
前記吸収性物品の縦方向に沿う側縁部における、前記インジケータの横方向外方に位置する部分に、該インジケータの変色前の色と同色又は類似色のマークが、該吸収性物品の外部から視認可能に印刷されている請求項１〜４の何れか一項に記載の吸収性物品。
【請求項６】
前記吸収体は、吸収性コアと該吸収性コアの肌対向面及び非肌対向面をそれぞれ被覆するコアラップシートとを含んで構成されており、該肌対向面側のコアラップシートが親水性の不織布であり、該非肌対向面側のコアラップシートが疎水性の不織布である請求項１〜５の何れか一項に記載の吸収性物品。
【発明の詳細な説明】
【技術分野】
【０００１】
本発明は、使い捨ておむつ等の吸収性物品に関する。
【背景技術】
【０００２】
従来、吸収性物品の外観を向上させる等の目的で、模様、キャラクター、数字、文字等の印刷デザインを吸収性物品の所定部位に印刷することが行われている。例えば特許文献１には、幼児用のファッション志向の使い捨ておむつとして、裏面シートにデザイン、図、写真等の上着様グラフィックが印刷された使い捨ておむつが記載されている。
【０００３】
また、排尿等によって濡れた場合に取り替え時期を知らせる機能を有する使い捨ておむつが知られている。例えば特許文献２には、吸収体と裏面シートとの間に、水分との接触により視覚的に変化する親水性の剤（インジケータ）を設けると共に、該裏面シートにおける、おむつの厚み方向に関して該親水性の剤と重ならない部分に、水分と接触しても視覚的に変化せず且つ該親水性の剤が視覚的に変化する前後何れかの色の類似色を有する、模様を施すことが記載されている。特許文献２によれば、変色によって取り替え時期を知らせるインジケータに加えて、該インジケータからおむつ幅方向に離間した位置に、該インジケータの変化前あるいは変化後の色の類似色の模様が施されていることによって、インジケータの変色を観察者（おむつ着用者が乳幼児の場合は、母親等）に強く認識させることができるとされており、特許文献２には、インジケータの認識性を高める上で、インジケータと模様とがおむつの厚み方向において重なっていないことの重要性が示唆されている。
【先行技術文献】
【特許文献】
【０００４】
【特許文献１】特開２０１０−５０８１１６号公報
【特許文献２】特開２００４−３３７３８５号公報
【発明の概要】
【発明が解決しようとする課題】
【０００５】
従来のインジケータを備えたおむつを着用した場合に、尿等の体液との接触によりインジケータが変色しても、その変色が観察者に認識されず、取り替え時期を逃してしまうことがあり、従来のインジケータを備えたおむつは、インジケータの視覚的変化の認識性の点で改良の余地があった。印刷デザインが施されることによって外観が向上し、且つインジケータの視覚的変化が外部から認識され易い吸収性物品は未だ提供されていない。
【０００６】
従って、本発明は、外観が良好で、且つインジケータの視覚的変化が外部から認識され易い吸収性物品に関する。
【課題を解決するための手段】
【０００７】
本発明は、吸収体と該吸収体の非肌対向面側に配された裏面シートとを備え、着用者の前後方向に相当する縦方向とこれに直交する横方向とを有し、着用時に着用者の腹側に配される腹側部、股間部に配される股下部及び背側に配される背側部を該縦方向に有する吸収性物品であって、前記裏面シートは、透湿性シートと不織布との積層構造を有し、前記股下部における該裏面シートと前記吸収体との間に、水分又は体液との接触により変色するインジケータが配されており、該インジケータの変色前後の色は、それぞれ、該透湿性シート及び該不織布の地色とは異なっており、前記透湿性シートにおける、前記吸収性物品の厚み方向に関して前記インジケータと重なるインジケータ対応領域に、該インジケータの変色後の色と同色又は類似色のデザイン要素が、１ｃｍ四方の正方形形状の領域中に複数存するように印刷されており、複数の該デザイン要素は、それぞれ、印刷が施されていない無印刷部に包囲されており、前記インジケータ対応領域における複数の前記デザイン要素のうち、任意の１個を特定デザイン要素、該特定デザイン要素から最も近い位置に存する１個を最近接デザイン要素とし、且つ該特定デザイン要素及び該最近接デザイン要素それぞれの中心を通る仮想直線を１本引いた場合、該仮想直線における該特定デザイン要素との重なり部分の長さＬ１、及び該仮想直線における該最近接デザイン要素との重なり部分の長さＬ２は、それぞれ、該仮想直線における、該特定デザイン要素と該最近接デザイン要素とに挟まれた前記無印刷部との重なり部分の長さＬ３と同じか、又は該長さＬ３よりも長い吸収性物品を提供するものである。
【発明の効果】
【０００８】
本発明によれば、外観が良好で、且つインジケータの視覚的変化が外部から認識され易い吸収性物品が提供される。
【図面の簡単な説明】
【０００９】
【図１】図１は、本発明の吸収性物品の一実施形態としての使い捨ておむつを各部の弾性部材を伸張させて平面状に拡げた展開状態を示す裏面シート側（非肌対向面側）の一部破断平面図である。
【図２】図２は、図１のＩ−Ｉ線断面を模式的に示す断面図である。
【図３】図３は、図１に示すおむつにおける透湿性シートのインジケータ対応領域の一部を模式的に示す平面図であり、図３（ａ）はインジケータの変色前の模式的な平面図、図３（ｂ）はインジケータの変色後の模式的な平面図である。
【図４】図４は、図１に示すおむつにおける透湿性シートのデザイン要素の拡大平面図である。
【発明を実施するための形態】
【００１０】
以下、本発明の吸収性物品について、その好ましい一実施形態である使い捨ておむつに基づき図面を参照しながら説明する。本実施形態のおむつ１は、図１及び図２に示すように、吸収体４及び該吸収体４の非肌対向面側に配された裏面シート３を備え、着用者の前後方向に相当する縦方向Ｘとこれに直交する横方向Ｙとを有している。
【００１１】
尚、本明細書において、肌対向面は、吸収性物品（おむつ１）又はその構成部材（表面シート２、裏面シート３、吸収体４等）における、吸収性物品の着用時に着用者の肌側に向けられる面であり、非肌対向面は、吸収性物品又はその構成部材における、吸収性物品の着用時に肌側とは反対側（着衣側）に向けられる面である。また、縦方向Ｘは、吸収性物品又はその構成部材の長辺に沿う方向（長手方向）に一致し、横方向Ｙは、吸収性物品又はその構成部材の幅方向に一致する。
【００１２】
更に説明すると、おむつ１は、いわゆる展開型の使い捨ておむつであり、図１及び図２に示すように、肌対向面を形成する液透過性の表面シート２、非肌対向面を形成する液不透過性ないし撥水性（以下、これらを総称して液不透過性という）の裏面シート３、及び両シート２，３間に配置された液保持性の吸収体４を具備し、図１に示す如き平面視において一方向（縦方向Ｘ）に長い形状をしており実質的に縦長である。表面シート２及び裏面シート３は、それぞれ、吸収体４よりも大きな寸法を有し、吸収体４の周縁から外方に延出している。
【００１３】
おむつ１は、図１に示すように、着用時に着用者の腹側に配される腹側部Ａ、股間部に配される股下部Ｂ及び背側に配される背側部Ｃを縦方向Ｘに有している。股下部Ｂは、着用時に着用者の排泄部に対向配置される排泄部対向部を含んでいる。おむつ１は、股下部Ｂの縦方向Ｘに沿う両側縁が内向きの円弧状に湾曲しており、図１に示す如き平面視において、縦方向Ｘの中央部が内方に括れた砂時計状の形状を有している。
【００１４】
腹側部Ａは、おむつ１の縦方向Ｘの一端部１ａ（吸収性物品における、着用時に着用者の腹側に配される部位の縦方向端部）から１００〜１８０ｍｍ以内の領域であり、おむつ１の縦方向Ｘの全長の２５〜４０％を占める。また、背側部Ｃは、おむつ１の縦方向Ｘの他端部１ｃ（吸収性物品における、着用時に着用者の背側に配される部位の縦方向端部）から１００〜１８０ｍｍ以内の領域であり、おむつ１の縦方向Ｘの全長の２５〜４０％を占める。また、股下部Ｂは、腹側部Ａと背側部Ｃとに挟まれた領域であり、おむつ１の縦方向Ｘの全長の２５〜４０％を占める。
【００１５】
吸収体４は、図２に示すように、液保持性の吸収性コア４０と該吸収性コア４０の肌対向面及び非肌対向面をそれぞれ被覆する透水性のコアラップシート４１とを含んで構成されている。コアラップシート４１は、吸収性コア４０の肌対向面（表面シート２との対向面）を被覆する第１のコアラップシート４１ａ（親水性の不織布）と、吸収性コア４０の非肌対向面（裏面シート３との対向面）を被覆し且つ肌対向面の縦方向Ｘに沿う側縁まで巻き上げられている第２のコアラップシート４１ｂ（疎水性の不織布）とからなる。コアラップシート４１は、吸収性コア４０の保形性を維持する目的で用いられている。吸収性コア４０とコアラップシート４１との間は、ホットメルト型接着剤等の公知の接合手段により接合されていても良い。
【００１６】
吸収体４は、表面シート２及び裏面シート３によって挟持・固定されている。吸収体４の縦方向Ｘの前後端縁から前後方向に延出するウエスト部５，５それぞれには、ウエスト部弾性部材５１が、該ウエスト部５を構成する両シート２，３間に伸長状態で固定されており、また、吸収体４の縦方向Ｘに沿う左右側縁から横方向Ｙに延出するレッグ部６，６それぞれには、レッグ弾性部材６１が、該レッグ部６を構成する両シート２，３間に伸長状態で固定されており、おむつ１の着用時には、これらの弾性部材５１，６１の収縮によりウエストギャザー及びレッグギャザーが形成される。また、おむつ１の表面シート２側における縦方向Ｘに沿う左右両側には、それぞれ立体ガード７が設けられている。立体ガード７の自由端には、立体ガード弾性部材７１が伸長状態で固定されており、おむつ１の着用時には該弾性部材７１の収縮により立体ギャザーが形成される。
【００１７】
図１に示すように、おむつ１の背側部Ｃの縦方向Ｘに沿う両側縁部には、一対のファスニングテープ８，８が設けられている。ファスニングテープ８には、機械的面ファスナーのオス部材からなる図示しない止着部が取り付けられている。また、おむつ１の腹側部Ａの非肌対向面（裏面シート３の非肌対向面）には、機械的面ファスナーのメス部材からなる被止着領域９が形成されている。被止着領域９は、裏面シート３の非肌対向面に、機械的面ファスナーのメス部材を公知の接合手段（例えば、接着剤やヒートシール等）で接合固定して形成されており、ファスニングテープ８の前記止着部を着脱自在に止着可能である。
【００１８】
裏面シート３は、図１及び図２に示すように、透湿性シート３０と不織布３１との積層構造を有している。透湿性シート３０は、裏面シート３の肌対向面（吸収体４との対向面）を形成する内層シートであり、不織布３１は、裏面シート３の非肌対向面（おむつ１の外面）を形成する外層シートであり、前記積層構造は、吸収体４から近い順に、透湿性シート３０、不織布３１を含んで構成されている。図１に示すように、透湿性シート３０と不織布３１とは、縦方向Ｘの長さに関しては同じであるが、横方向Ｙの長さ（幅）に関しては透湿性シート３０の方が不織布３１よりも短く、相対的に幅狭に形成されている。透湿性シート３０お呼び不織布３１の何れも、腹側部Ａ、股下部Ｂ及び背側部Ｃに亘って配されている。透湿性シート３０は、吸収体４よりも寸法が大きく、吸収体４の非肌対向面（裏面シート３との対向面）の全域が透湿性シート３０によって被覆されている。透湿性シート３０と不織布３１との間は、ホットメルト型接着剤等の公知の接合手段により接合されていても良い。
【００１９】
おむつ１を構成する以上の各構成部材としては、当該技術分野において従来公知のものを特に制限なく用いることができる。表面シート２としては、液透過性シートを用いることができ、例えば、親水性の不織布等を用いることができる。吸収性コア４０としては、例えば、木材パルプ、親水化剤により処理された合繊繊維等の親水性繊維からなる繊維集合体、又は該繊維集合体に粒子状の吸水性ポリマーを保持させたもの等を用いることができる。吸収性コア４０を被覆するコアラップシート４１（４１ａ，４１ｂ）としては、例えば、ティッシュペーパー等の紙や各種不織布、開孔フィルム等の液透過性のシートを用いることができる。弾性部材５１，６１，７１としては各種エラストマー材料を用いることができる。
【００２０】
コアラップシート４１（４１ａ，４１ｂ）に関し、特に吸収性コア４０が充分に水分を吸収した後に後述するインジケータ１０を変色させる目的から、インジケータ１０と接する第２のコアラップシート４１ｂは、疎水性のシートとすることが好ましく、具体的には、ポリプロピレン等のポリオレフィン樹脂からなるスパンボンド不織布、スパンボンド−メルトブローン（ＳＭ）不織布、スパンボンド−メルトブローン−スパンボンド（ＳＭＳ）不織布、スパンボンド−メルトブローン−メルトブローン−スパンボンド（ＳＭＭＳ）不織布等を用いることができる。コアラップシート４１（４１ａ，４１ｂ）の坪量は、好ましくは８〜２５ｇ／ｍ2、更に好ましくは１０〜２０ｇ／ｍ2である。また、コアラップシート４１ｂに用いる不織布の耐水圧の程度を選定することで、後述するインジケータ１０の変色の時期を調整することができる。このような吸収体４の一例として、肌対向面側の親水性のコアラップシート４１ａが、ポリプロピレン製のＳＭＳ不織布（坪量１５ｇ／ｍ2）に界面活性剤を塗布することで親水化処理されたものであり、且つ非肌対向面側の疎水性のコアラップシート４１ｂが、ポリプロピレン製のＳＭＳ不織布（坪量１５ｇ／ｍ2）であるものを用いることにより、肌対向面側のコアラップシート４１ａからの水分の吸水性の向上効果、及び非肌対向面側のコアラップシート４１ｂによる液止め効果が得られる。後者の液止め効果によれば、吸収性コア４０が水分を充分に吸水するまで（吸収性コア４０が使用可能な状態にある間）は、水分は非肌対向面側のコアラップシート４１ｂを通過し難く、これにより、取り替え時期に至る前のインジケータ１０の変色を効果的に防止することができる。
【００２１】
裏面シート３を構成する透湿性シート３０としては、「シートを厚み方向に貫通する微細孔を備えることで透湿性を有する樹脂フィルム」を用いることができ、該樹脂フィルムとしては、例えば、ポリエチレン、ポリプロピレン等のポリオレフィン等の樹脂からなるフィルムを用いることができる。裏面シート３を構成する不織布３１としては、例えば、スパンボンド不織布、スパンボンド−メルトブローン−スパンボンド（ＳＭＳ）不織布、スパンボンド−メルトブローン−メルトブローン−スパンボンド（ＳＭＭＳ）不織布、エアスルー不織布、スパンレース不織布等を用いることができる。裏面シート３は、該裏面シート３全体として液不透過性を有していれば良く、透湿性シート３０及び不織布３１は必ずしも液不透過性を有していなくても良い。透湿性シート３０の坪量は、好ましくは５ｇ／ｍ2以上、更に好ましくは８ｇ／ｍ2以上、そして、好ましくは５０ｇ／ｍ2以下、更に好ましくは４０ｇ／ｍ2以下、より具体的には、好ましくは１０〜３０ｇ／ｍ2、更に好ましくは１５〜２５ｇ／ｍ2である。また、不織布３１の坪量は、好ましくは５ｇ／ｍ2以上、更に好ましくは８ｇ／ｍ2以上、そして、好ましくは４０ｇ／ｍ2以下、更に好ましくは３０ｇ／ｍ2以下、より具体的には、好ましくは１０〜２５ｇ／ｍ2、更に好ましくは１２〜２０ｇ／ｍ2である。
【００２２】
図１及び図２に示すように、股下部Ｂにおける裏面シート３と吸収体４との間、より具体的には透湿性シート３０とコアラップシート４１ｂとの間には、水分又は体液（尿、便、経血等）との接触により変色するインジケータ１０が配されている。インジケータ１０は、水分と接触することによって視覚的に変化する変色物質と、接着剤として機能する粘着性物質とを含む、親水性の組成物からなり、着用者（例えば乳幼児）の体液の排泄を観察者（例えば母親）に知らせるインジケータ手段としての機能に加えて、裏面シート３と吸収体４との間を接合する接合手段としての機能も有している。インジケータ１０は、透湿性シート３０の肌対向面又はコアラップシート４１ｂの非肌対向面に、前記親水性の組成物を塗布することによって配されている。インジケータ１０の変色前後の色は、それぞれ、透湿性シート３０及び不織布３１の地色とは異なっている。本実施形態において、透湿性シート３０及び不織布３１の地色は、この種の吸収性物品における裏面シートの素材の色と同様に白色であり、インジケータ１０の変色前の色（黄色）及び変色後の色（青色）は、何れも裏面シート３（透湿性シート３０及び不織布３１）を介して透けて見え、おむつ１の外部から視認可能である。
【００２３】
本実施形態においては、インジケータ１０は、おむつ１の横方向Ｙの中央部において縦方向Ｘに延びる直線状に１本設けられており、股下部Ｂの縦方向Ｘの全長に亘り、更に腹側部Ａ及び背側部Ｃそれぞれの股下部Ｂ寄りの部分に延出している。このように、尿等の体液の排泄を知らせるインジケータ１０が、体液が直接排泄される部位である股下部Ｂのみならず、その前後に位置する腹側部Ａ及び背側部Ｃにも配されていることにより、股下部Ｂでのインジケータ１０の変色が、変色が比較的起きにくい腹側部Ａや背側部Ｃとの比較によって明確に認識できるようになる。インジケータ１０の縦方向Ｘの長さは、好ましくは１００〜４００ｍｍ、更に好ましくは１５０〜３００ｍｍであり、横方向の長さ（幅）は、好ましくは１〜１０ｍｍ、更に好ましくは２〜６ｍｍである。
【００２４】
インジケータ１０（親水性の組成物）に含まれる前記変色物質としては、例えばｐＨ指示薬が挙げられる。ｐＨ指示薬は、インジケータ１０が適用される吸収性物品の種類等に応じて適宜選択することができ、本実施形態のように吸収性物品が使い捨ておむつの場合には、尿との接触の前後で色が変化するものを用いることが好ましく、例えば、ブロモフェノールブルー、メチルオレンジ、アリザンＳ、ブロモクレゾールグリーン、メチルレッド、ブロモクレゾールパープル、レザズリン等、ｐＨが３〜７で変色するものが好ましい。本実施形態においては、インジケータ１０は、変色前（水分又は体液との接触前）は黄色、変色後は青色であり、インジケータ１０の変色前後の色は補色の関係にある。変色前が黄色、変色後が青色の変色物質（ｐＨ指示薬）として、例えば、ブロモクレゾールグリーンが挙げられる。
【００２５】
また、インジケータ１０（親水性の組成物）に含まれる前記粘着性物質としては、前記変色物質との相溶性の点から親水性を有するものが好ましい。そのような物質としては例えば、少なくとも水分と接触する前には裏面シート３（透湿性シート３０）と吸収体４（コアラップシート４１ｂ）との間を接合する接着剤として機能する、親水性のポリマーが挙げられ、具体的には例えば、ポリエチレングリコール（ＰＥＧ）、ポリプロピレングリコール（ＰＰＧ）、ポリビニルアルコール（ＰＶＡ）、ポリアミド、ビニルピロリドンホモポリマー等が挙げられる。
【００２６】
本実施形態のおむつ１の主たる特徴部分の１つである透湿性シート３０について説明すると、図１及び図３に示すように、透湿性シート３０における、おむつ１の厚み方向に関してインジケータ１０と重なるインジケータ対応領域３０Ａ（図１に示す如き平面視においてインジケータ１０と重なる領域）には、インジケータ１０の変色後の色と同色又は類似色のデザイン要素３５が、１ｃｍ四方の正方形形状の領域（図示せず）中に複数存するように印刷されている。複数のデザイン要素３５は、それぞれ、印刷が施されていない無印刷部３６に包囲されている。無印刷部３６は透湿性シート３０の地色であり、本実施形態では白色である。本実施形態においては、デザイン要素３５は、透湿性シート３０の非肌対向面（不織布３１との対向面）に印刷されている。
【００２７】
本実施形態においては、図３に示すように、複数のデザイン要素３５は、それぞれ、平面視ドット状（円形状）をなし、散点状に規則的なパターンで透湿性シート３０（インジケータ対応領域３０Ａ）に印刷されている。複数のデザイン要素３５の大きさは均一である。本実施形態においては、複数のデザイン要素３５とこれらを包囲する無印刷部３６とからなる印刷デザインが、透湿性シート３０の非肌対向面（不織布３１との対向面）の全域に亘って施されている。インジケータ対応領域３０Ａと透湿性シート３０におけるそれ以外の部分とで、デザイン要素３５の印刷パターン（前記印刷デザイン）は同じである。
【００２８】
前述したように、本実施形態においては、インジケータ１０の変色後（水分又は体液との接触後）の色は青色であるから、透湿性シート３０に印刷されている複数のデザイン要素３５は、それぞれ、青色又はその類似色である。従って、本実施形態においては、デザイン要素３５の色とインジケータ１０の変色前の色（黄色）とは、補色の関係にある。
【００２９】
本発明において、インジケータの変色後の色とデザイン要素の色との類似性については、通常の注意力を有する観察者が見て両色が類似していると認識し得る程度であれば良い。デザイン要素３５の色は、観察者による認識性をより高くする観点から、評価する尺度としてＬ*Ｃ*ｈ表色系が有効であり、ｈ値で規定することができる。具体的には、インジケータ１０の変色後の色とデザイン要素３５の色とのｈ値（直接計測）の色相角度の差（Δｈ）を０°〜３０°とすることが好ましく、０°〜２０°とすることが更に好ましい。前記Δｈを上記範囲とすることで、変色後のインジケータ１０とデザイン要素３５とで視覚的に差を認識しにくいようになり、観察者に両者が類似色を有するように感じさせることができる。上記Ｌ*Ｃ*ｈの測定は、簡易型分光色差計ＮＦ３３３（日本電色工業（株）社製、商品名）を用いて測定することができる。測定条件及び測定方法は、φ４ｍｍのＮＤ１１０センサーをを用い、光源Ｃ／２、視野角２°（３回計測の平均値））で測定することができる。インジケータ１０として例えばブロモクレゾールグリーンを変色物質（ｐＨ指示薬）として用いたもので変色前が黄色、変色後が青色の提色を示すものであれば、変色前の黄色のＬ*Ｃ*ｈの値が（Ｌ*値：９０．０６、Ｃ*値：２８．２３、ｈ値：１０４．１９°）、変色後の青色のＬ*Ｃ*ｈの値が（Ｌ*値：７４．１３、Ｃ*値：９．３９、ｈ値：１７５．９３°）のものが挙げられる。
【００３０】
このように、地色が白色の透湿性シート３０のインジケータ対応領域３０Ａに、地色とは異なる色で且つインジケータ１０の変色後の色（青色）と同色又は類似色のデザイン要素３５が、１ｃｍ四方の正方形形状の領域中に複数存するように印刷されていると、そのようなデザイン要素が印刷されていない無模様のおむつに比して外観が良好になり、また、おむつ１を外部から観察する観察者にとっての「インジケータ対応領域３０Ａの色の印象」としては、地色よりもデザイン要素３５の色が目立つものとなり、ほぼ青色（青っぽい色）の印象となる。そうすると、黄色のインジケータ１０の一部が尿等の体液と接触して青色に変色した場合、図３（ｂ）に示すように、その青色の変色部１１と、該変色部１１の外面側（非肌対向面側）を覆う青っぽい色の印象のインジケータ対応領域３０Ａ（透湿性シート３０）とのコントラストが弱まるため、観察者に対して、あたかも、縦方向Ｘに延びる黄色の直線状のインジケータ１０の一部（変色部１１）が消失したかの如き印象を与えることが可能となり、結果として、インジケータ１０の視覚的変化、即ちおむつ１の取り替え時期を観察者に強くアピールすることが可能となる。
【００３１】
特に、本実施形態においては、デザイン要素３５が散点状に規則的なパターンで印刷されているため、観察者に与えるインジケータ対応領域３０Ａの色の印象が、デザイン要素３５の色と同じになり易い。そのため、デザイン要素３５の色（青色）とインジケータ１０の変色前の色（黄色）とが補色の関係にあることと相俟って、インジケータ１０の変色前においては、青っぽい色のインジケータ対応領域３０Ａと黄色のインジケータ１０とのコントラストが強くてインジケータ１０を認識し易く、またインジケータ１０の変色後においては、その変色部１１の消失感を観察者に強く印象付けることが可能となる。とりわけ、本実施形態においては、複数のデザイン要素３５とこれらを包囲する無印刷部３６とからなる印刷デザインが、透湿性シート３０の非肌対向面（不織布３１との対向面）の全域に亘って施されているため、前述した作用効果（おむつ１の外観及びインジケータ１０の視覚的変化の認識性の向上）がより一層効果的に奏される。
【００３２】
しかしながら、インジケータ１０の色とその外面側を覆うインジケータ対応領域３０Ａのデザイン要素３５の色とで前述の如き関係が存していても、デザイン要素３５の印刷パターン如何によっては、前述したインジケータ１０の変色部１１の視覚的な消失効果が十分に得られないおそれがある。そこで、本実施形態においては、デザイン要素３５の印刷パターンを次のように設定している。即ち、図４に示すように、インジケータ対応領域３０Ａにおける複数のデザイン要素３５のうち、任意の１個を特定デザイン要素３５ａ、特定デザイン要素３５ａから最も近い位置に存する１個を最近接デザイン要素３５ｂとし、且つ特定デザイン要素３５ａ及び最近接デザイン要素３５ｂそれぞれの中心を通る仮想直線Ｌを１本引いた場合、仮想直線Ｌにおける特定デザイン要素３５ａとの重なり部分の長さＬ１、及び仮想直線Ｌにおける最近接デザイン要素３５ｂとの重なり部分の長さＬ２は、それぞれ、仮想直線Ｌにおける、特定デザイン要素３５ａと最近接デザイン要素３５ｂとに挟まれた無印刷部３６との重なり部分の長さＬ３と同じか、又は長さＬ３よりも長い。尚、デザイン要素（特定デザイン要素、最近接デザイン要素）の形状によっては、その「中心」が求められない場合があるが、その場合は、当該デザイン要素の「重心」を通るように前記仮想直線を引けば良い。本実施形態においては複数のデザイン要素３５の間隔は均一であり、図４において中央に位置する特定デザイン要素３５ａに対して、これを囲む６個のデザイン要素は何れも最近接デザイン要素３５ｂとなり得る。
【００３３】
これに対し、デザイン要素３５（特定デザイン要素３５ａ、最近接デザイン要素３５ｂ）との重なり長さＬ１及びＬ２が無印刷部３６との重なり長さＬ３よりも短い（Ｌ３＞Ｌ１，Ｌ２）と、インジケータ対応領域３０Ａ（透湿性シート３０）において、その地色（本実施形態では白色）が占める割合が高くなりすぎる結果、おむつ１を外部から観察する観察者にとっての「インジケータ対応領域３０Ａの色の印象」としては、デザイン要素３５の色（本実施形態では青色）よりも地色が目立つものとなり、ほぼ地色（白っぽい色）の印象となる。そうすると、インジケータ１０が尿等の体液との接触により青色に変色しても、その青色の変色部１１（図３（ｂ）参照）は、該変色部１１の外面側（非肌対向面側）を覆う白っぽい色の印象のインジケータ対応領域３０Ａ（透湿性シート３０）とは色相が異なるため、前述した変色部１１の視覚的な消失効果は得られず、おむつ１の取り替え時期を観察者に強くアピールすることはできない。
【００３４】
前述した作用効果をより確実に奏させるようにする観点から、透湿性シート３０における印刷デザインの各部の寸法等は次のように設定することが好ましい。
平面視ドット状（円形状）のデザイン要素３５の直径（図４中の長さＬ１及びＬ２に相当する長さ）は、好ましくは０．３ｍｍ以上、更に好ましくは０．５ｍｍ以上、そして、好ましくは５ｍｍ以下、更に好ましくは４ｍｍ以下、より具体的には好ましくは０．８〜３ｍｍ、更に好ましくは１〜２ｍｍである。
仮想直線Ｌにおける無印刷部３６との重なり長さＬ３（図４参照）は、好ましくは０．２ｍｍ以上、更に好ましくは０．４ｍｍ以上、そして、好ましくは４．５ｍｍ以下、更に好ましくは３．５ｍｍ以下、より具体的には好ましくは０．５〜２．５ｍｍ、更に好ましくは０．８〜１．５ｍｍである。
長さＬ１，Ｌ２が長さＬ３よりも長い場合（Ｌ３＜Ｌ１，Ｌ２）において、両者の比（Ｌ３／Ｌ１又はＬ２）は、好ましくは０．２〜０．９、更に好ましくは０．５〜０．８である。
【００３５】
１ｃｍ四方の正方形形状の領域中に存するデザイン要素３５の数、即ち、デザイン要素３５の単位面積当たりの数（印刷密度）は、好ましくは２個以上、更に好ましくは５個以上、そして、好ましくは１００個以下、更に好ましくは５０個以下、より具体的には好ましくは８〜３０個、更に好ましくは１０〜２０個である。デザイン要素３５の印刷密度が高すぎると、おむつ１を外部から観察した場合に、インジケータ１０がデザイン要素３５に隠れてしまって認識し難くなるおそれがあり、逆に印刷密度が低すぎると、前述したインジケータ１０の変色部１１の視覚的な消失効果が十分に得られないおそれがある。
【００３６】
本発明においては、デザイン要素３５の単位面積当たりの数（印刷密度）は、透湿性シート３０の全域で同じも良く、部分的に異なっていても良い。特に、本実施形態のように、透湿性シート３０が腹側部Ａ、股下部Ｂ及び背側部Ｃに亘って配されている場合において、腹側部Ａ及び背側部Ｃが、股下部Ｂに比して、デザイン要素３５の単位面積当たりの数が多い（即ち、股下部Ｂが、腹側部Ａ及び背側部Ｃに比して、デザイン要素３５の単位面積当たりの数が少ない）と、通常腹側部Ａや背側部Ｃは股下部Ｂに比して外部から観察し易い部位であるため、おむつ１を外部から観察する観察者に対して、デザイン要素３５の色（本実施形態では青色）を強くイメージさせて、おむつ１の外観の色の印象をデザイン要素３５の色と同色に印象付けることが可能となり、結果として前述したインジケータ１０の変色部１１の視覚的な消失効果が十分に得られるようになる。
【００３７】
斯かる作用効果をより確実に奏させるようにする観点から、腹側部Ａ又は背側部Ｃと股下部Ｂとにおけるデザイン要素３５の単位面積当たりの数の比（腹側部Ａ又は背側部Ｃにおけるデザイン要素３５の単位面積当たりの数／股下部Ｂにおけるデザイン要素３５の単位面積当たりの数）は、好ましくは１．１〜２．５、更に好ましくは１．２〜２．０である。尚、腹側部Ａと背側部Ｃとでは、デザイン要素３５の単位面積当たりの数は同じでも良く、異なっていても良い。
【００３８】
図１に示すように、おむつ１の縦方向Ｘに沿う側縁部における、インジケータ１０の横方向Ｙの外方に位置する部分には、インジケータ１０の変色前の色（本実施形態では黄色）と同色又は類似色のマーク１５が、おむつ１の外部から視認可能に印刷されている。ここで、インジケータ１０の変色前の色とマーク１５の色との類似性については、前述した、インジケータ１０の変色後の色とデザイン要素３５の色との類似性と同じである。マーク１５は、水分又は体液と接触しても変色しないよう、耐水性のあるインク等を用いて印刷されている。本実施形態においては、マーク１５の色（黄色）とインジケータ１０の変色後の色（青色）とは、補色の関係にある。
【００３９】
本実施形態においては、マーク１５は、平面視四角形形状をなし、股下部Ｂにおけるおむつ１の左右両側縁部、より具体的には、透湿性シート３０の縦方向Ｘに沿う左右両側縁部の非肌対向面（不織布３１との対向面）に一対印刷されている。即ち、マーク１５は、透湿性シート３０におけるデザイン要素３５の印刷面と同じ面に印刷されている。一対のマーク１５，１５は、それぞれ、おむつ１の縦方向Ｘに関し、おむつ１の縦方向Ｘの中央から前後３０ｍｍ以内に位置している。斯かるマーク１５の縦方向Ｘの位置は、おむつ１において着用者が排泄した尿等の体液を最初に受ける部位の縦方向Ｘの位置と略同じであり、通常インジケータ１０が最初に変色する部位である。
【００４０】
このように、インジケータ１０の横方向Ｙの外方（おむつ１の側縁部）にインジケータ１０の変色前の色（黄色）と同色又は類似色のマーク１５が外部から視認可能に印刷されていると、インジケータ１０の一部（特に一対のマーク１５，１５で挟まれた部分）が尿等の体液との接触により青色に変色したときに、その青色の変色部１１と該変色部１１の横方向Ｙの外方に位置する一対の黄色のマーク１５，１５との対比により、変色部１１の形成、即ち、前述した変色部１１の視覚的な消失効果が、観察者によりはっきりと認識されるようになる。インジケータ１０の変色前の色とマーク１５との間における同色又は類似色の程度は、上述したＬ*Ｃ*ｈ表色系で判断することができ、ｈ値で規定することができる。具体的には、インジケータ１０の変色前の色とマーク１５の色とのｈ値（直接計測）の色相角度の差（Δｈ）を０°〜３０°とすることが好ましく、０°〜２０°とすることがさらに好ましい。
【００４１】
以上、本発明について説明したが、本発明は、前述した実施形態に制限されず適宜変更可能である。例えば、インジケータは、股下部における裏面シートと吸収体との間に配されていれば良く、その配置形態（数、平面視形状、位置等）は前記実施形態に制限されない。また、デザイン要素の形状は、前記実施形態の如きドット状（円形状）に制限されず、正方形形状、長方形形状、菱形形状、六角形形状、楕円形形状、星型形状等、種々の形状とすることができる。また、前記実施形態では、複数のデザイン要素は全て同じ形状であったが、形状の異なる複数種のデザイン要素が混在していても構わない。
【００４２】
また、前記実施形態では、デザイン要素及びマークは、何れも透湿性シートの非肌対向面（不織布との対向面）に印刷されていたが、肌対向面（吸収体との対向面）に印刷されていても良く、また、デザイン要素とマークとが透湿性シートの同じ面に印刷されていなくても良い。また、本発明の吸収性物品は、展開型の使い捨ておむつに制限されず、人体から排出される液の吸収に用いられる物品を広く包含し、パンツ型の使い捨ておむつ、生理用ナプキン、生理用ショーツ等も包含される。
【００４３】
前述した本発明の実施形態に関し、更に以下の付記（吸収性物品）を開示する。
【００４４】
＜１＞  吸収体と該吸収体の非肌対向面側に配された裏面シートとを備え、着用者の前後方向に相当する縦方向とこれに直交する横方向とを有し、着用時に着用者の腹側に配される腹側部、股間部に配される股下部及び背側に配される背側部を該縦方向に有する吸収性物品であって、
前記裏面シートは、透湿性シートと不織布との積層構造を有し、前記股下部における該裏面シートと前記吸収体との間に、水分又は体液との接触により変色するインジケータが配されており、該インジケータの変色前後の色は、それぞれ、該透湿性シート及び該不織布の地色とは異なっており、
前記透湿性シートにおける、前記吸収性物品の厚み方向に関して前記インジケータと重なるインジケータ対応領域に、該インジケータの変色後の色と同色又は類似色のデザイン要素が、１ｃｍ四方の正方形形状の領域中に複数存するように印刷されており、複数の該デザイン要素は、それぞれ、印刷が施されていない無印刷部に包囲されており、
前記インジケータ対応領域における複数の前記デザイン要素のうち、任意の１個を特定デザイン要素、該特定デザイン要素から最も近い位置に存する１個を最近接デザイン要素とし、且つ該特定デザイン要素及び該最近接デザイン要素それぞれの中心を通る仮想直線を１本引いた場合、該仮想直線における該特定デザイン要素との重なり部分の長さＬ１、及び該仮想直線における該最近接デザイン要素との重なり部分の長さＬ２は、それぞれ、該仮想直線における、該特定デザイン要素と該最近接デザイン要素とに挟まれた前記無印刷部との重なり部分の長さＬ３と同じか、又は該長さＬ３よりも長い吸収性物品。
【００４５】
＜２＞  前記デザイン要素は、散点状に規則的なパターンで印刷されている前記＜１＞記載の吸収性物品。
【００４６】
＜３＞  複数の前記デザイン要素とこれらを包囲する前記無印刷部とからなる印刷デザインが、前記透湿性シートの全域に亘って施されている前記＜１＞又は＜２＞記載の吸収性物品。
＜４＞  前記透湿性シートは、前記腹側部、前記股下部及び前記背側部に亘って配されており、該腹側部及び該背側部は、該股下部に比して、前記デザイン要素の単位面積当たりの数が多い前記＜１＞〜＜３＞の何れか一項に記載の吸収性物品。
【００４７】
＜５＞  前記吸収体は、吸収性コアと該吸収性コアの肌対向面及び非肌対向面をそれぞれ被覆するコアラップシートとを含んで構成されており、該肌対向面側のコアラップシートが親水性の不織布であり、該非肌対向面側のコアラップシートが疎水性の不織布である前記＜１＞〜＜４＞の何れか一項に記載の吸収性物品。
＜６＞  前記コアラップシートは、前記吸収性コアの肌対向面を被覆する第１のコアラップシートと、該吸収性コアの非肌対向面を被覆し且つ該肌対向面の縦方向に沿う側縁まで巻き上げられている第２のコアラップシートとからなり、
前記吸収性コアと前記コアラップシートとの間は、ホットメルト型接着剤により接合されている前記＜５＞記載の吸収性物品。
【００４８】
＜７＞  前記吸収性物品は展開型の使い捨ておむつである前記＜１＞〜＜６＞の何れか一項に記載の吸収性物品。
＜８＞  前記吸収性物品は、前記股下部の縦方向に沿う両側縁が内向きの円弧状に湾曲しており、平面視において、縦方向の中央部が内方に括れた砂時計状の形状を有している前記＜１＞〜＜７＞の何れか一項に記載の吸収性物品。
＜９＞  前記吸収体の縦方向の前後端縁から前後方向に延出するウエスト部それぞれには、ウエスト部弾性部材が、該ウエスト部を構成する両シート間に伸長状態で固定されており、
前記吸収体の縦方向に沿う左右側縁から横方向に延出するレッグ部それぞれには、レッグ弾性部材が、該レッグ部を構成する両シート間に伸長状態で固定されており、
前記吸収性物品の表面シート側における縦方向に沿う左右両側には、それぞれ立体ガードが設けられ、該立体ガードの自由端には、立体ガード弾性部材が伸長状態で固定されており、該吸収性物品の着用時には該立体ガード弾性部材の収縮により立体ギャザーが形成されるようになされている前記＜１＞〜＜８＞の何れか一項に記載の吸収性物品。
＜１０＞  前記背側部の縦方向に沿う両側縁部には、一対のファスニングテープが設けられ、該ファスニングテープには、機械的面ファスナーのオス部材からなる止着部が取り付けられており、
前記腹側部の非肌対向面には、機械的面ファスナーのメス部材からなる被止着領域が形成され、該被止着領域は、前記裏面シートの非肌対向面に該メス部材を接合手段で接合固定して形成されており、前記ファスニングテープの前記止着部を着脱自在に止着可能である前記＜１＞〜＜９＞の何れか一項に記載の吸収性物品。
【００４９】
＜１１＞  前記透湿性シート及び前記不織布の地色は白色であり、前記インジケータの変色前の色及び変色後の色は、何れも前記裏面シートを介して透けて見え、前記吸収性物品の外部から視認可能である前記＜１＞〜＜１０＞の何れか一項に記載の吸収性物品。
＜１２＞  前記インジケータは、変色前（水分又は体液との接触前）は黄色、変色後は青色であり、該インジケータの変色前後の色は補色の関係にある前記＜１＞〜＜１１＞の何れか一項に記載の吸収性物品。
＜１３＞  前記インジケータは、前記吸収性物品の横方向の中央部において縦方向に延びる直線状に１本設けられており、前記股下部の縦方向の全長に亘り、更に前記腹側部及び前記背側部それぞれの該股下部寄りの部分に延出しており、
前記インジケータの縦方向の長さは１００〜４００ｍｍ、横方向の長さは、１〜１０ｍｍである前記＜１＞〜＜１２＞の何れか一項に記載の吸収性物品。
＜１４＞  前記インジケータは、水分と接触することによって視覚的に変化する変色物質と、接着剤として機能する粘着性物質とを含む、親水性の組成物からなり、着用者の体液の排泄を観察者に知らせるインジケータ手段としての機能に加えて、前記裏面シートと前記吸収体との間を接合する接合手段としての機能も有している前記＜１＞〜＜１３＞の何れか一項に記載の吸収性物品。
＜１５＞  前記変色物質はｐＨ指示薬であり、該ｐＨ指示薬は、尿との接触の前後で色が変化し且つｐＨが３〜７で変色するものである前記＜１４＞記載の吸収性物品。
＜１６＞  前記ｐＨ指示薬は、ブロモフェノールブルー、メチルオレンジ、アリザンＳ、ブロモクレゾールグリーン、メチルレッド、ブロモクレゾールパープル及びレザズリンからなる群から選択される１種以上である前記＜１５＞記載の吸収性物品。
＜１７＞  前記粘着性物質は、水分と接触する前には前記裏面シートと前記吸収体との間を接合する接着剤として機能する、親水性のポリマーであり、該親水性のポリマーは、ポリエチレングリコール、ポリプロピレングリコール、ポリビニルアルコール、ポリアミド及びビニルピロリドンホモポリマーからなる群から選択される１種以上である前記＜１４＞〜＜１６＞の何れか一項に記載の吸収性物品。
【００５０】
＜１８＞  複数の前記デザイン要素は、それぞれ、平面視ドット状（円形状）をなし、散点状に規則的なパターンで前記透湿性シートに印刷されており、複数の該デザイン要素の大きさは均一であり、
複数の前記デザイン要素とこれらを包囲する前記無印刷部とからなる印刷デザインが、前記透湿性シートの非肌対向面の全域に亘って施されており、
前記インジケータ対応領域と前記透湿性シートにおけるそれ以外の部分とで、前記デザイン要素の印刷パターン（前記印刷デザイン）が同じである前記＜１＞〜＜１７＞の何れか一項に記載の吸収性物品。
＜１９＞  前記透湿性シートに印刷されている複数の前記デザイン要素の色と前記インジケータの変色前の色とは、補色の関係にある前記＜１＞〜＜１８＞の何れか一項に記載の吸収性物品。
＜２０＞  前記透湿性シートに印刷されている複数の前記デザイン要素は、それぞれ、青色又はその類似色であり、前記インジケータの変色前の色は黄色である前記＜１９＞記載の吸収性物品。
＜２１＞  前記インジケータの変色後の色と前記デザイン要素の色とのｈ値（直接計測）の色相角度の差（Δｈ）は、０°〜３０°である前記＜１＞〜＜２０＞の何れか一項に記載の吸収性物品。
【００５１】
＜２２＞  平面視ドット状（円形状）の前記デザイン要素３５の直径Ｌ１，Ｌ２は、好ましくは０．３ｍｍ以上、５ｍｍ以下、更に好ましくは４ｍｍ以下であり、
前記仮想直線における前記無印刷部との重なり長さＬ３は、好ましくは０．２ｍｍ以上、４．５ｍｍ以下であり、
前記直径Ｌ１，Ｌ２が前記長さＬ３よりも長い場合（Ｌ３＜Ｌ１，Ｌ２）において、両者の比（Ｌ３／Ｌ１又はＬ２）は、０．２〜０．９である前記＜１＞〜＜２１＞の何れか一項に記載の吸収性物品。
＜２３＞  １ｃｍ四方の正方形形状の領域中に存する前記デザイン要素の数〔前記デザイン要素の単位面積当たりの数（印刷密度）〕は、２個以上、１００個以下である前記＜１＞〜＜２２＞の何れか一項に記載の吸収性物品。
＜２４＞  前記腹側部又は前記背側部と前記股下部とにおける前記デザイン要素の単位面積当たりの数の比（腹側部又は背側部におけるデザイン要素の単位面積当たりの数／股下部におけるデザイン要素の単位面積当たりの数）は、１．１〜２．５である前記＜１＞〜＜２３＞の何れか一項に記載の吸収性物品。
【００５２】
＜２５＞  前記吸収性物品の縦方向に沿う側縁部における、前記インジケータの横方向外方に位置する部分に、該インジケータの変色前の色と同色又は類似色のマークが、該吸収性物品の外部から視認可能に印刷されている前記＜１＞〜＜２４＞の何れか一項に記載の吸収性物品。
＜２６＞  前記インジケータの変色前の色と前記マークの色とのｈ値（直接計測）の色相角度の差（Δｈ）は、０°〜３０°である前記＜２５＞記載の吸収性物品。
【符号の説明】
【００５３】
１  使い捨ておむつ（吸収性物品）
２  表面シート
３  裏面シート
１０  インジケータ
１１  インジケータの変色部
１５  マーク
３０  透湿性シート
３０Ａ  インジケータ対応領域
３１  不織布
３５  デザイン要素
３５ａ  特定デザイン要素
３５ｂ  最近接デザイン要素
３６  無印刷部
４  吸収体
４０  吸収性コア
４１，４１ａ，４１ｂ  コアラップシート
Ａ  腹側部
Ｂ  股下部
Ｃ  背側部
Ｌ  仮想直線
【図１】
2014083170.tif 000003
【図２】
2014083170.tif 000004
【図３】
2014083170.tif 000005
【図４】
2014083170.tif 000006